【手続補正書】
【提出日】令和1年8月15日(2019.8.15)
【手続補正１】
【補正対象書類名】明細書
【補正対象項目名】０１１８
【補正方法】変更
【補正の内容】
【０１１８】
多くの更なる変形例及び変更例は、前述の例示的な実施例を参照するときに、これら自体を当業者に示唆する。前述の例示的な実施例は、例のみとして与えられており、特許請求の範囲のみにより決定される本発明の範囲を限定することを意図するものではない。特に、異なる実施例からの異なる特徴は、適切な場合には交換されてもよい。
上述の実施形態の一部又は全部は、以下の付記のように記載され得るが、以下には限定されない。
（付記１）
光学取得系によりキャプチャされた画像を符号化するための装置であって、
装置は、光学取得系のセンサの少なくとも１つのピクセルについて、光学取得系の瞳を通過する一式の光線により占有される光学取得系の物空間内の大きさと、瞳の面に垂直の方向における光学取得系の前記物空間内の少なくとも１つのピクセルの共役とを規定するパラメータを計算するプロセッサを含み、
一式の光線により占有される前記大きさは、ピクセルビームと呼ばれる装置。
（付記２）
プロセッサは、ピクセルビームを表現するパラメータを、符号化されるべき光学取得系により取得された画像に関連付けるように構成される、付記１に記載の装置。
（付記３）
ピクセルビームのパラメータ表現は、以下の式により規定される一葉双曲面であり、
【数２５】
2018536312.tif 000001
x、y及びzは、双曲面zP、θx、θy、aの面に属する点の物空間内の座標であり、zPは、ウェストと呼ばれるピクセルビームの最小断面の距離を表し、瞳の面に垂直の方向における光学取得系の物空間内のピクセルの共役に対応し、θx、θyは、瞳の中心からウェストの方向を規定する剪断角を表し、aはウェストのサイズを表し、cは、ピクセルビームの開口角の規定に依存するパラメータであり、vは[0,2π]の間隔で変化する角度である、付記１又は２に記載の装置。
（付記４）
ピクセルビームのパラメータ表現は、以下の式により規定される一葉双曲面であり、
【数２６】
2018536312.tif 000002
AOは、非対称瞳のアスペクト比を表すパラメータであり、APは、非対称ウェストのアスペクト比を表すパラメータであり、aは、瞳とウェストとの間のピクセルビームの断面の広がりを表すパラメータであり、ρOは、瞳の極半径係数を表すパラメータであり、ρPは、ウェストの極半径係数を表すパラメータである、付記３に記載の装置。
（付記５）
ピクセルビームは、少なくとも、主線と呼ばれる双曲面の軸を表す第１のパラメータセットと、主線を中心に回転させることにより双曲面の面の生成を可能にする生成線群を表す第２のパラメータセットとにより表現される、付記１又は２に記載の装置。
（付記６）
ピクセルビームのパラメータ表現は、前円錐と背円錐との結合であり、前円錐及び背円錐は互いに重なる、付記１又は２に記載の装置。
（付記７）
前円錐と背円錐との結合としてのピクセルビームのパラメータ表現は、以下の式により与えられ、
【数２７】
2018536312.tif 000003
zfrontは、前円錐の頂点のz座標を表し、zrearは、背円錐の頂点のz座標を表し、P、zP、W及びzwは、それぞれピクセルビームの瞳の直径（P>0）、そのz座標、ピクセルビームのウェストの直径及びz座標（0<W<+∞）、及びそのz座標（0<zw<+∞）を示し、
【数２８】
2018536312.tif 000004
であり、θfront及びθrearは、それぞれ前円錐及び背円錐の頂角である、付記６に記載の装置。
（付記８）
前円錐と背円錐との結合としてのピクセルビームのパラメータ表現は、W=+∞及びzw=+∞のときに以下の式により与えられ、
【数２９】
2018536312.tif 000005
p及びfは、それぞれピクセルの直径（p>0）及び光学取得系の光学素子の焦点距離（f>0）を表し、
【数３０】
2018536312.tif 000006
である、付記６に記載の装置。
（付記９）
光学取得系によりキャプチャされた画像を符号化するための方法であって、
方法は、光学取得系のセンサの少なくとも１つのピクセルについて、光学取得系の瞳を通過する一式の光線により占有される光学取得系の物空間内の大きさと、瞳の面に垂直の方向における光学取得系の物空間内の少なくとも１つのピクセルの共役とを規定するパラメータを計算するステップを含み、
一式の光線により占有される前記大きさは、ピクセルビームと呼ばれる方法。
（付記１０）
ピクセルビームを表現するパラメータを、符号化されるべき光学取得系により取得された画像に関連付けるステップを更に含む、付記９に記載の方法。
（付記１１）
光学取得系によりキャプチャされた画像を処理するための装置であって、
装置は、光学取得系のセンサの少なくとも１つのピクセルに関連付けられたパラメータに基づいて画像を処理するように構成されたプロセッサを含み、
パラメータは、光学取得系の瞳を通過する一式の光線により占有される光学取得系の物空間内の大きさと、瞳の面に垂直の方向における光学取得系の物空間内の前記少なくとも１つのピクセルの共役とを規定し、
一式の光線により占有される大きさは、ピクセルと呼ばれる装置。
（付記１２）
プロセッサは、
キャプチャされた画像を多重分離すること、
キャプチャされた画像をデモザイク処理すること、
キャプチャされた画像に焦点再設定すること、又は
異なる光学取得系によりキャプチャされた少なくとも他の画像と、キャプチャされた画像とをミキシングすること、
によりキャプチャされた画像を処理するように構成される、付記１１に記載の装置。
（付記１３）
光学取得系によりキャプチャされた画像を処理するための方法であって、
方法は、光学取得系のセンサの少なくとも１つのピクセルに関連付けられたパラメータに基づいて画像を処理するステップを含み、
パラメータは、光学取得系の瞳を通過する一式の光線により占有される光学取得系の物空間内の大きさと、瞳の面に垂直の方向における光学取得系の物空間内の少なくとも１つのピクセルの共役とを規定し、
一式の光線により占有される大きさは、ピクセルと呼ばれる方法。
（付記１４）
キャプチャされた画像を処理することは、
キャプチャされた画像を多重分離すること、
キャプチャされた画像をデモザイク処理すること、
キャプチャされた画像に焦点再設定すること、又は
異なる光学取得系によりキャプチャされた少なくとも他の画像と、キャプチャされた画像とをミキシングすること、
にある、付記１３に記載の方法。
（付記１５）
光学取得系によりキャプチャされた画像を符号化できる第１の装置により、キャプチャされたキャプチャされた画像を処理できる第２の装置に送信される信号であって、
信号は、光学取得系の瞳を通過する一式の光線により占有される光学取得系の物空間内の大きさと、瞳の面に垂直の方向における光学取得系の物空間内の少なくとも１つのピクセルの共役とを規定するパラメータを含むメッセージを搬送し、
一式の光線により占有される大きさは、ピクセルビームと呼ばれ、
第２の装置によるキャプチャされた画像の処理は、パラメータに基づく信号。
（付記１６）
プログラムがプロセッサにより実行されたときに、付記９乃至１１のうちいずれか１項に記載の光学取得系によりキャプチャされた画像を符号化するための方法を実施するプログラムコード命令を含むことを特徴とするコンピュータプログラム。